(57)【要約】【課題】傘を差して身体を動かしたり、風が吹いたりしても、傘の傾きやがたつきを防止でき、かつ、作業の邪魔にならない身体装着型傘具を提供することである。【解決手段】平行な２本の縦枠部材４が上中下３段の横枠部材５ａ、５ｂ、５ｃで長方形の枠状に連結され、身体Ａの背中に長手方向を上下に向けて装着される背負子部１の上端部に、身体Ａの前方へ張り出す傘部１１を、背負子部１の幅方向の２点で支持されるように取り付けることにより、傘を差して身体Ａを動かしたり、風が吹いたりしても、傘の傾きやがたつきを防止でき、かつ、作業の邪魔にならないようにした。【選択図】図１
2009011528.tif 000002
【特許請求の範囲】
【請求項１】
平行な２本の縦枠部材が複数の横枠部材で長方形の枠状に連結され、身体の背中に長手方向を上下に向けて装着される背負子部と、この背負子部の上端部から身体の前方へ張り出し、骨に傘布が張られた傘部とから成り、前記傘部を前記背負子部の上端部に、背負子部の幅方向の複数点で支持されるように取り付けた身体装着型傘具。
【請求項２】
前記背負子部に、その後面側へ張り出すように折り畳み可能な荷受部を設けた請求項１に記載の身体装着型傘具。
【請求項３】
前記傘部を、前記背負子部の前面側へ折り畳み可能とした請求項１または２に記載の身体装着型傘具。
【請求項４】
前記傘部の骨を、前後方向に延びる２本の縦骨と、これらの縦骨と交差して左右方向に延びる複数本の横骨とで形成し、これらの左右方向に延びる各横骨を伸縮可能とした請求項３に記載の身体装着型傘具。
【請求項５】
前記背負子部の下端部にキャスタを取り付けた請求項３または４に記載の身体装着型傘具。
【請求項６】
前記傘部の傘布を着脱可能とした請求項１乃至５のいずれかに記載の身体装着型傘具。
【請求項７】
前記傘部の外周部に、身体の前面を除く周囲に垂下されるカバーシートを着脱可能とした請求項１乃至６のいずれかに記載の身体装着型傘具。
【請求項８】
前記カバーシートに、身体の首部の後側に面する部位で、風を通す窓を設けた請求項７に記載の身体装着型傘具。
【発明の詳細な説明】
【技術分野】
【０００１】
本発明は、身体の背中に装着される身体装着型傘具に関する。
【背景技術】
【０００２】
雨傘や日傘を差したときに、両手が自由に使用できるように、これらの傘を身体に保持するようにした各種の傘保持具が提案されている（例えば、特許文献１、２参照）。特許文献１に記載されたものでは、腰に回される腰ベルトと右肩に掛けられる肩ひもとに、傘の把手と心棒を取り付けて、傘を身体の前面右側に保持するようにしている。また、特許文献２に記載されたものでは、背中ゴムバンド付背中平板と肩ベルト付肩平板とに傘の把手と心棒を取り付けて、傘を身体の背中に保持するようにしている。この他にも、傘の把手や心棒を首や肩に掛けて保持するようにしたものもある。
【０００３】
また、傘の心棒を二股状になる中軸とし、二股状に開いた２本の中軸の下端部をズボンの前面上端に取り付け、これらの中軸の中途部を、ズボンの背面上端に取り付けたＹ字状の吊りバンドの上端に設けたフックに取り付けて、身体の前面に装着するようにした傘セットも提案されている（例えば、特許文献３参照）。
【０００４】
【特許文献１】特開平７−２５５５２０号公報
【特許文献２】特開２００４−１６７９４号公報
【特許文献３】特開２０００−１３９５３３号公報
【発明の開示】
【発明が解決しようとする課題】
【０００５】
特許文献１、２に記載されたように、傘の心棒や把手を取り付けて傘を身体に保持する傘保持具は、通常の傘は、傘布が張られた傘部が心棒の先端部に一点で支持されるように取り付けられているので、傘を差して、農作業、釣り、カメラ撮影等の作業のために身体を動かしたり、風が吹いたりすると、心棒に大きなモーメントが発生し、心棒や把手の取り付け部に大きなモーメント荷重が作用する。このため、保持された傘が傾いたり、がたついたりして不安定になる問題がある。
【０００６】
また、特許文献３に記載された傘セットも、傘部が心棒の先端部に一点で支持されるように取り付けられているので、傘を差して作業のために身体を動かしたり、風が吹いたりすると、心棒に大きなモーメントが発生する。この傘セットは、心棒が二股状の中軸とされ、二股状に開けられた２本の中軸が、ズボンの前面上端とＹ字状の吊りバンドの上端に設けたフックに取り付けられるので、上述した傘保持具よりは、各取り付け部に作用するモーメント荷重を低減することができるが、２本の中軸は開き間隔を固定されず、独立にズボンの上端や吊りバンドのフックに取り付けられているので、傘の傾きやがたつきを十分に抑制することはできない。また、この傘セットは、身体の前面に装着されるので、作業の邪魔になる問題もある。
【０００７】
そこで、本発明の課題は、傘を差して身体を動かしたり、風が吹いたりしても、傘の傾きやがたつきを防止でき、かつ、作業の邪魔にならない身体装着型傘具を提供することである。
【課題を解決するための手段】
【０００８】
上記の課題を解決するために、本発明の身体装着型傘具は、平行な２本の縦枠部材が複数の横枠部材で長方形の枠状に連結され、身体の背中に長手方向を上下に向けて装着される背負子部と、この背負子部の上端部から身体の前方へ張り出し、骨に傘布が張られた傘部とから成り、前記傘部を前記背負子部の上端部に、背負子部の幅方向の複数点で支持されるように取り付けた構成を採用した。
【０００９】
すなわち、平行な２本の縦枠部材を複数の横枠部材で長方形の枠状に連結した背負子部を、長手方向を上下に向けて身体の背中に安定して装着できるようにするとともに、この背負子部の上端部から身体の前方へ張り出す傘部を、背負子部の幅方向の複数点で安定して支持できるように取り付けることにより、傘を差して身体を動かしたり、風が吹いたりしても、傘の傾きやがたつきを防止でき、かつ、作業の邪魔にならないようにした。
【００１０】
前記背負子部に、その後面側へ張り出すように折り畳み可能な荷受部を設けることにより、背負子部の荷受部に、釣り道具、カメラ機材等の荷物を取り付けることができる。
【００１１】
前記傘部を、前記背負子部の前面側へ折り畳み可能とすることにより、身体装着型傘具をコンパクトに持ち運ぶことができる。
【００１２】
前記傘部の骨を、前後方向に延びる２本の縦骨と、これらの縦骨と交差して左右方向に延びる複数本の横骨とで形成し、これらの左右方向に延びる各横骨を伸縮可能とすることにより、身体装着型傘具をさらにコンパクトに持ち運ぶことができる。
【００１３】
前記背負子部の下端部にキャスタを取り付けることにより、折り畳んだ身体装着型傘具を、キャスタを接地させて楽に持ち運ぶことができる。前記荷受部を設けた場合は、身体装着型傘具を荷物キャリーとして使用することもできる。
【００１４】
前記傘部の傘布を着脱可能とすることにより、身体装着型傘具をより持ち運びし易くすることができる。
【００１５】
前記傘部の外周部に、身体の前面を除く周囲に垂下されるカバーシートを着脱可能とすることにより、斜め方向からの雨の降りかかりや、横方向からの寒風の吹き付けを避けることができる。
【００１６】
前記カバーシートに、身体の首部の後側に面する部位で、風を通す窓を設けることにより、首上部の風通しを良くして、作業を快適に行うことができる。
【発明の効果】
【００１７】
本発明の身体装着型傘具は、平行な２本の縦枠部材を複数の横枠部材で長方形の枠状に連結した背負子部を、長手方向を上下に向けて身体の背中に安定して装着できるようにするとともに、この背負子部の上端部から身体の前方へ張り出す傘部を、背負子部の幅方向の複数点で安定して支持できるように取り付けたので、傘を差して身体を動かしたり、風が吹いたりしても、傘の傾きやがたつきを防止でき、かつ、作業の邪魔にならないようにすることができる。
【００１８】
前記背負子部に、その後面側へ張り出すように折り畳み可能な荷受部を設けることにより、背負子部の荷受部に、釣り道具、カメラ機材等の荷物を取り付けることができる。
【００１９】
前記傘部を、背負子部の前面側へ折り畳み可能とすることにより、身体装着型傘具をコンパクトに持ち運ぶことができる。
【００２０】
前記傘部の骨を、前後方向に延びる２本の縦骨と、これらの縦骨と交差して左右方向に延びる複数本の横骨とで形成し、これらの左右方向に延びる各横骨を伸縮可能とすることにより、身体装着型傘具をさらにコンパクトに持ち運ぶことができる。
【００２１】
前記背負子部の下端部にキャスタを取り付けることにより、折り畳んだ身体装着型傘具を、キャスタを接地させて楽に持ち運ぶことができる。前記荷受部を設けた場合は、身体装着型傘具を荷物キャリーとして使用することもできる。
【００２２】
前記傘部の傘布を着脱可能とすることにより、身体装着型傘具をより持ち運びし易くすることができる。
【００２３】
前記傘部の外周部に、身体の前面を除く周囲に垂下されるカバーシートを着脱可能とすることにより、斜め方向からの雨の降りかかりや、横方向からの寒風の吹き付けを避けることができる。
【００２４】
前記カバーシートに、身体の首部の後側に面する部位で、風を通す窓を設けることにより、首上部の風通しを良くして、作業を快適に行うことができる。
【発明を実施するための最良の形態】
【００２５】
以下、図面に基づき、本発明の実施形態を説明する。この身体装着型傘具は、図１に示すように、身体Ａの背中に長手方向を上下に向けて装着される背負子部１と、背負子部１の上端部から身体Ａの前方へ張り出す傘部１１とから成り、傘部１１の外周部に、身体Ａの前面を除く周囲に垂下されるカバーシート２１が着脱可能とされている。背負子部１は、腰部に回される腰ベルト２と、両肩に掛けられる２本の肩ベルト３で背中に装着され、腰ベルト２と各肩ベルト３は長さ調節可能とされている。
【００２６】
図２および図３に示すように、前記背負子部１は、平行な２本の縦枠部材４を上中下３段の横枠部材５ａ、５ｂ、５ｃで連結した長方形の枠状とされ、２本の縦枠部材４の間に腰ベルト２が取り付けられ、中段と下段の横枠部材５ｂ、５ｃの間に２本の肩ベルト３が取り付けられている。また、上段の横枠部材５ａには、傘部１１の基部が幅方向の両端部の２点で支持されるように回動可能に枢着され、背負子部１の前面側へ折り畳み可能とされている。傘部１１の２点の基部には鉤部１２が設けられ、傘部１１を前方へ張り出したときに、鉤部１２が各縦枠部材４の上部に内向きに取り付けられたねじ部材１３の軸に係止されて、傘部１１が略直角に張り出した位置で固定されるようになっている。
【００２７】
また、前記背負子部１の各縦枠部材４には、下端にキャスタ６が取り付けられ、下段の横枠部材５ｃの上側には、枠状の荷受部７が後面側へ回動可能に枢着されている。荷受部７は、後面側へ回動させたときに、下段の横枠部材５ｃに取り付けられたストッパ８に当接され、後面側へ直角に張り出した位置で固定されるようになっている。したがって、この荷受部７に、釣り道具、カメラ機材等の荷物を受けるように取り付けることができ、傘部１１を折り畳んだときは、身体装着型傘具を荷物キャリーとして使用することもできる。
【００２８】
図２および図４（ａ）、（ｂ）に示すように、前記傘部１１の骨は、前後方向に延びる２本の縦骨１４と、これらの縦骨１４と交差して左右方向に延び、両端部が下方に湾曲した２本の横骨１５とで形成され、コーナ部に丸みを有する矩形状とされた傘布１６は、外周に取り付けられた布枠１７を、各縦骨１４と横骨１５の先端部に設けられた鈎部１８に嵌め込まれて、着脱可能とされている。
【００２９】
前記各横骨１５は、縦骨１４間に差し渡された２本１組のパイプ状の親骨１５ａに、それぞれ子骨１５ｂと孫骨１５ｃを左右方向へ２段に伸縮可能に嵌挿したものとされ、傘布１６を取り外して傘部１１を折り畳むときに、各横骨１５の子骨１５ｂと孫骨１５ｃを縮めることにより、身体装着型傘具をコンパクトに持ち運ぶことができる。また、傘布１６の布枠１７は可撓性の樹脂で形成されており、取り外した傘布１６も折り畳むことができる。
【００３０】
前記傘布１６の周縁には、身体Ａの前面側となる部分を除くように、カバーシート２１が着脱される複数の面ファスナ１９が取り付けられ、傘布１６の後面側には、後述するカバーシート２１の窓２４の部分に垂下される垂布２０が取り付けられている。
【００３１】
図５に示すように、前記カバーシート２１の上端部には、傘布１６の周縁の各面ファスナ１９に着脱される複数の面ファスナ２２が取り付けられ、左右両端部には、身体Ａの前面でカバーシート２１を閉じるための面ファスナ２３も取り付けられている。また、カバーシート２１の首部の後側に面する部位には、風通しを良くするための窓２４が形成され、両側部分には、両手を通すスリット２５が設けられている。
【図面の簡単な説明】
【００３２】
【図１】身体装着型傘具の実施形態を示す側面図
【図２】図１のカバーシートと傘布を取り外した身体装着型傘具を示す外観斜視図
【図３】図２の側面図
【図４】ａは図１の身体装着型傘具の傘部を示す底面図、ｂはａの傘布を取り外して横骨を縮めた状態を示す底面図
【図５】図１のカバーシートの展開平面図
【符号の説明】
【００３３】
１  背負子部
２  腰ベルト
３  肩ベルト
４  縦枠部材
５ａ、５ｂ、５ｃ  横枠部材
６  キャスタ
７  荷受部
８  ストッパ
１１  傘部
１２  鈎部
１３  ねじ部材
１４  縦骨
１５  横骨
１５ａ  親骨
１５ｂ  子骨
１５ｃ  孫骨
１６  傘布
１７  布枠
１８  鈎部
１９  面ファスナ
２０  垂布
２１  カバーシート
２２、２３  面ファスナ
２４  窓
２５  スリット
【図１】
2009011528.tif 000003
【図２】
2009011528.tif 000004
【図３】
2009011528.tif 000005
【図４】
2009011528.tif 000006
【図５】
2009011528.tif 000007